(57)【要約】  【課題】  手を汚さずにフィルタの清掃が行える電気掃除機を提供する。  【解決手段】  吸込口体に設けた塵埃吸込口から掃除機本体１１の電動送風機２３の吸込開口２４までの吸込風路の途中に設けられるとともに、前記塵埃吸込口に連通する吸込口５２を有する集塵容器５０を有し、この集塵容器５０は、吸込口５２から吸い込まれた塵埃および空気を塵埃と空気とに分離するネットフィルタ６０と、このネットフィルタ６０によって分離された塵埃を溜める集塵室５５と、ネットフィルタ６０を吸込口側フィルタ部と集塵室側フィルタ部とに仕切る仕切部材５６とを備え、この仕切部材５６は、吸込口５２から吸引された空気を吸込口側フィルタ部に向けて流す第１風路と、その空気を集塵部側へ迂回させて集塵部側フィルタ部に向けて流す第２風路とに分けるようになっている電気掃除機であって、仕切部材５６をネットフィルタ６０に沿って移動可能に設け、電動送風機２３の駆動中に仕切部材５６を移動させるパルスモータを設けた。【選択図】  図２
2006101904.tif 000002
【特許請求の範囲】
【請求項１】
吸込口体に設けた塵埃吸込口から掃除機本体の電動送風機の吸込開口までの吸込風路の途中に設けられるとともに、前記塵埃吸込口に連通する吸込口を有する集塵部を有し、
この集塵部は、前記吸込口から吸い込まれた塵埃および空気を塵埃と空気とに分離するフィルタと、このフィルタによって分離された塵埃を溜める集塵室と、前記フィルタを吸込口側フィルタ部と集塵室側フィルタ部とに仕切る仕切部材とを備え、この仕切部材は、前記吸込口から吸引された空気を吸込口側フィルタ部に向けて流す第１風路と、その空気を集塵室側へ迂回させて集塵室側フィルタ部に向けて流す第２風路とに分けるようになっている電気掃除機であって、
前記仕切部材を前記フィルタに沿って移動可能に設け、
前記電動送風機の駆動中に前記仕切部材を移動させる移動手段を設けたことを特徴とする電気掃除機。
【請求項２】
前記フィルタに付着した塵埃を落とすブラシを前記仕切部材に設けたことを特徴とする請求項１に記載の電気掃除機。
【発明の詳細な説明】
【技術分野】
【０００１】
この発明は、例えば掃除機本体に集塵容器を着脱自在に設ける電気掃除機に関する。
【背景技術】
【０００２】
従来から、図１０に示す電気掃除機が知られている（例えば特許文献１参照）。
【０００３】
かかる電気掃除機は、掃除機本体１２０と、この掃除機本体１２０に着脱自在に装着される集塵容器１５０とを備えている。
【０００４】
掃除機本体１２０は、後部が本体ケース１３０にヒンジ結合されて上下方向に開閉可能となっている蓋体１４０を備えるとともに、図示しない電動送風機を内蔵している。
【０００５】
集塵容器１５０は、図１１に示すように、本体ケース１３０の前に前方へ突出した皿状の載置部１３５に着脱自在に載置され、蓋体１４０を閉じた際にこの蓋体１４０と載置部１３５とで挟持されて固定されるようになっている。
【０００６】
集塵容器１５０は、図１１に示すように、ケース本体１５３と、このケース本体１５３内に設けた塵埃分離部１６０と、この塵埃分離部１６０で分離された塵埃を溜める集塵室部１５５とを有している。
【０００７】
塵埃分離部１６０は、筒状に形成した複数の枠体Ｗ１,Ｗ２,Ｗ３と、この枠体Ｗ１,Ｗ２,Ｗ３で形成された周面開口１６４に取り付けたネットフィルタＦ１とで構成されている。
【０００８】
集塵容器１５０の連通パイプ１９２の開口１９２Ａは、蓋体１４０を閉じているときには接続口１４３に連通し、この接続口１４３には図示しない集塵ホースが接続されるようになっている。また、集塵容器１５０の後部開口１５１は掃除機本体１２０の電動送風機の吸込開口（図示せず）に連通するようになっている。
【０００９】
そして、集塵ホースを介して吸引されてきた空気および塵埃は、塵埃分離部１６０で空気と塵埃に分離され、空気は矢印Ｑ１に示すようにネットフィルタＦ１を通って集塵容器１５０の後部開口１５１から電動送風機の吸込開口へ吸引されていく。
【００１０】
一方、塵埃分離部１６０で分離された塵埃は矢印Ｑ２で示すように集塵室部１５５に向かって流れていき、この集塵室部１５５に集塵されていく。
【００１１】
ところで、この電気掃除機にあっては、ネットフィルタＦに付着した塵埃を掃除し易いように、連通パイプ１９２が矢印Ｎ方向に回動して、塵埃分離部１６０の前面（図１１において左側）が開放されるようになっている。
【特許文献１】特開２００４−１６７１５０号公報
【発明の開示】
【発明が解決しようとする課題】
【００１２】
しかしながら、このような電気掃除機にあっては、集塵容器１５０を掃除機本体１２０から取り外し、片方の手で集塵容器１５０を持ち他方の手でネットフィルタＦに付着した塵埃を清掃するため、どうしても手を汚してしまうという問題があった。
【００１３】
この発明の目的は、手を汚さずにフィルタの清掃が行える電気掃除機を提供することにある。
【課題を解決するための手段】
【００１４】
上記目的を達成するため、請求項１の発明は、吸込口体に設けた塵埃吸込口から掃除機本体の電動送風機の吸込開口までの吸込風路の途中に設けられるとともに、前記塵埃吸込口に連通する吸込口を有する集塵部を有し、
この集塵部は、前記吸込口から吸い込まれた塵埃および空気を塵埃と空気とに分離するフィルタと、このフィルタによって分離された塵埃を溜める集塵室と、前記フィルタを吸込口側フィルタ部と集塵室側フィルタ部とに仕切る仕切部材とを備え、この仕切部材は、前記吸込口から吸引された空気を吸込口側フィルタ部に向けて流す第１風路と、その空気を集塵室側へ迂回させて集塵室側フィルタ部に向けて流す第２風路とに分けるようになっている電気掃除機であって、
前記仕切部材を前記フィルタに沿って移動可能に設け、
前記電動送風機の駆動中に前記仕切部材を移動させる移動手段を設けたことを特徴とする。
【発明の効果】
【００１５】
この発明によれば、手を汚さずにフィルタの清掃が行える。
【発明を実施するための最良の形態】
【００１６】
以下、この発明に係る電気掃除機の一実施例を図面に基づいて説明する。
【実施例】
【００１７】
図１に示す電気掃除機１０は、掃除機本体１１と、この掃除機本体１１の接続口１０Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには複数の操作スイッチ１３ａが設けられている。
【００１８】
吸込口体１５には、その底面に塵埃を吸引する図示しない吸込開口（塵埃吸込口）を形成した吸込室（図示せず）が形成されて、この吸込室は延長管１４および集塵ホース１２を介して掃除機本体１１に設けた集塵部である集塵容器５０（図２参照）の吸込口５２に連通している。
【００１９】
電気掃除機本体１１は、図２に示すように、本体ケース２０と、本体ケース２０内に着脱自在に装着される集塵容器５０と、後部が本体ケース２０にヒンジ結合されて前側が上下方向に開閉可能となっている蓋体４０とを備えている。
【００２０】
本体ケース２０の前側には、集塵容器５０が着脱自在に装着される集塵容器室２１が形成され、この集塵容器室２１の上部開口２２が上記蓋体４０によって密閉されている。また、本体ケース２０の後側には電動送風機２３が設けられており、この電動送風機２３の吸込開口２４が集塵容器５０の後部開口５１（図４参照）に図示しない接続風路を介して連通している。
【００２１】
本体ケース２０には多数の排気孔２５が形成され、また、後輪２６にも多数の排気孔２７が形成されている。そして、電動送風機２３が吸込開口２４から吸引し空気を図示しない排出口から排出し、この空気がそれら排気孔２５,２７から排気されるようになっている。
【００２２】
そして、集塵容器５０は、吸込口体１５の吸込開口から電動送風機２３の吸込開口２４までの吸込風路の途中に設けられている。
【００２３】
蓋体４０には、図２に示すように孔４１が形成され、この孔４１にボタン４２が設けられている。このボタン４２は、図示しないスプリングによって上方に付勢されて孔４１を閉塞しており、このボタン４２がスプリングの付勢力に抗して下方に押されると、孔４１が開成して集塵容器室２１が外気に連通される。
【００２４】
この集塵容器室２１は、集塵容器５０が装着されていないときには接続風路Ｇを介して電動送風機２３の吸込開口２４に連通するようになっている。
【００２５】
集塵容器５０は、図３および図４に示すように、前側（図４において左側）に吸込口５２を有し後側に後部開口５１を有するフィルタ装着部５８を形成した集塵容器本体５３と、この集塵容器本体５３の底部に開閉可能に設けた底蓋５９等とを有している。底蓋５９は、図３に示すように、左側方にある軸線Ｊを中心にして矢印Ｆ方向に回動することにより開成する。
【００２６】
フィルタ装着部５８は、断面が四角形状の筒状に形成され、このフィルタ装着部５８内にはプリーツフィルタ体７５が着脱自在に装着されている。集塵容器本体５３の吸込口５２は図２に示すように掃除機本体１１の接続口１０Ａに連通している。
【００２７】
集塵容器本体５３は、図４に示すように、吸込口５２から吸い込まれた塵埃および空気を塵埃と空気とに分離するネットフィルタ（フィルタ）６０と、このネットフィルタ６０によって分離された塵埃を溜めるとともにネットフィルタ６０の下側に形成された集塵室５５と、図の矢印で示す第１風路Ｐ１と第２風路Ｐ２とに分ける仕切部材５６と、ネットフィルタ６０とプリーツフィルタ体７５との間に形成した負圧室５７等とを備えている。
【００２８】
ネットフィルタ６０は、吸込口５２の上端から集塵室５５の後壁５５Ｋの上端に亘って設けられている。また、ネットフィルタ６０は図示しない枠体によって保持されており、その一部６０Ａが円弧状に形成され、ネットフィルタ６０が塵埃を集塵室５５へ案内する風路６１を形成している。なお、後壁５５Ｋは集塵容器本体５３の側壁（図示せず）に一体に形成されている。
【００２９】
仕切部材５６は、図５に示すように、平面視がほぼ長方形を呈しており、その一端の両側面には軸５６Ｊ１,５６Ｊ２が設けらている。この軸５６Ｊ１,５６Ｊ２が集塵容器本体５３の側壁に回動自在に軸支されている。また、軸５６Ｊ１は側壁を貫通しており、この軸５６Ｊ１の一端にはギア７０が取り付けられている。このギア７０は、掃除機本体１１の集塵容器室２１内に設けた図７に示すギア７１に噛合するようになっており、このギア７１が集塵容器室２１内に設けたパルスモータＭによって回動するようになっている。
【００３０】
そして、パルスモータＭの駆動によって仕切部材５６が軸５６Ｊ１,５６Ｊ２を中心にして図４に示す実線位置と鎖線位置との間を往復回動するようになっている。
【００３１】
また、仕切部材５６には長方形の穴５６Ａが形成され、仕切部材５６の先端（他端）にはネットフィルタ６０に付着した塵埃を掻き落とすブラシ５６Ｂが設けられている。
【００３２】
仕切部材５６は、この仕切部材５６より上にあるネットフィルタ６０の部分（吸込口側フィルタ部）と、仕切部材５６より下にあるネットフィルタ６０の部分（吸込室側フィルタ部）とに仕切っている。
［動  作］
次に、上記のように構成される電気掃除機の動作について説明する。
【００３３】
先ず、図２に示すように、集塵容器５０を掃除機本体１１の集塵容器室２１に装着し、図１に示すように集塵ホース１２を掃除機本体１１の接続口１０Ａに接続するとともに手元操作管１３に延長管１４を介して吸込口体１５を接続する。
【００３４】
そして、手元操作管１３の操作部１３Ａのスイッチ１３ａを操作すると電動送風機２３が駆動される。この電動送風機２３の駆動により、電動送風機２３の吸込開口２４から空気が吸い込まれて、接続風路（図示せず）を介して集塵容器５０の後部開口５１に作用し、さらにプリーツフィルタ体７５を介して集塵容器５０の負圧室５７が負圧となる。
【００３５】
この負圧がネットフィルタ６０を介して風路６１に作用し、この負圧が集塵容器５０の吸込口５２を介して集塵ホース１２,延長管１４および吸込口体１５に作用し、吸込口体１５から空気とともに塵埃が吸引されていく。
【００３６】
この吸引された塵埃および空気が延長管１４および集塵ホース１２を介して集塵容器５０の吸込口５２へ吸引されていく。この吸込口５２へ吸引された塵埃および空気は風路６１に吸引されていく。
【００３７】
風路６１に吸引された空気は、図４に示すように、仕切部材５６によって第１風路Ｐ１と第２風路Ｐ２とに分かれて流れていく。そして、第１風路Ｐ１を流れる風量は、第２風路Ｐ２を流れる風量より大きなものとなっている。
【００３８】
第１風路Ｐ１に沿って流れる空気は、風路６１からそのまま直進してネットフィルタ６０を介して負圧室５７へ流れていく。また、第１風路Ｐ１に沿って流れていく塵埃はその空気からネットフィルタ６０により分離される。この分離された塵埃は第２風路Ｐ２に沿って流れる空気により集塵室５５へ落下していく。
【００３９】
また、第２風路Ｐ２に沿って流れる空気は、風路６１から仕切部材５６の穴５６Ａを通って仕切部材５６の下側に回り込んだ後にネットフィルタ６０を介して負圧室５７へ流れていく。
【００４０】
そして、風路６１から第２風路Ｐ２に沿って下方に向かう比較的質量の大きい塵埃は、仕切部材５６の穴５６Ａからそのまま集塵室５５へ落下していく。また、第２風路Ｐ２に沿って流れていく比較的軽い塵埃は仕切部材５６の下側のネットフィルタ６０により空気から分離され、この分離された塵埃は集塵室５５へ落下していく。
【００４１】
一方、電動送風機２３の駆動とともにパルスモータＭが駆動されて、仕切部材５６が軸５６Ｊ１,５６Ｊ２を中心にして図４の実線位置と鎖線の位置との間を往復回動していく。この往復回動は電動送風機２３が駆動されている間何回も行われることになる。
【００４２】
仕切部材５６が図８に示す実線位置へ回動すると、第１風路Ｐ１を流れる風量が少なくなるとともに、第２風路Ｐ２を流れる風量が増加する。そして、仕切部材５６の先端部５６ａの上面に当たる空気の量が増加して、矢印で示すように強い乱気流Ｒ１が多く発生する。この強く且つ多くの乱気流Ｒ１によって、ネットフィルタ６０の部分６０Ｂに付着した塵埃が剥離されていき、この剥離された塵埃が第２風路Ｐ２を流れる空気によって集塵室へ落下していく。
【００４３】
また、仕切部材５６の裏面側でも乱気流Ｒ２が発生し、仕切部材５６の下側のネットフィルタ６０の部分に付着した塵埃がその乱気流Ｒ２によって剥離されていく。
【００４４】
仕切部材５６が図４に示す位置に回動したときも、上記と同様にして乱気流Ｒ１,Ｒ２が発生し、ネットフィルタ６０の部分に付着した塵埃が乱気流Ｒ１,Ｒ２によって剥離されていく。
【００４５】
このように、ネットフィルタ６０に付着した塵埃を乱気流Ｒ１,Ｒ２によって剥離していくので、仕切部材５６の回動範囲より広い広範囲に亘ってネットフィルタ６０に付着した塵埃を剥離していくことができる。
【００４６】
また、仕切部材５６が回動することにより、仕切部材５６のブラシ５６Ｂがネットフィルタ６０に付着した塵埃を掻き落としていくので、ネットフィルタ６０に付着した塵埃をより確実に剥離させることができる。
【００４７】
負圧室５７へ流れた空気は、プリーツフィルタ体７５および図示しないガイド風路を介して電動送風機２３の吸込開口２４へ吸引されていく。
【００４８】
上述のように、電動送風機２３が駆動されている間、パルスモータＭによって仕切部材５６が往復回動し、この仕切部材５６によって発生する乱気流Ｒ１,Ｒ２がネットフィルタ６０に付着した塵埃を広範囲に亘って剥離していくので、従来のように集塵容器５０を掃除機本体１１から外してネットフィルタ６０の掃除を行う必要がない。このため、手を汚してしまうことがない。
【００４９】
図９は、別な例の仕切部材５６を示したものであり、この仕切部材５６の裏面に穴５６Ａの右側（図９において）の縁部にリブ８０を設けたものであり、このリブ８０を設けることにより、強い乱気流Ｒ２を発生させるようにしたものである。
【図面の簡単な説明】
【００５０】
【図１】この発明に係る電機掃除機の外観を示した斜視図である。
【図２】図１に示す掃除機本体の構成を示した部分断面図である。
【図３】集塵容器の外観を示した斜視図である。
【図４】集塵容器の構成を示した断面図である。
【図５】仕切部材を示した平面図である。
【図６】図５に示す仕切部材の断面図である。
【図７】仕切部材の往復回動させる機構を示した説明図である。
【図８】集塵容器の仕切部材と乱気流との関係を示した説明図である。
【図９】仕切部材の別な例を示した断面図である。
【図１０】従来の掃除機本体を示した外観図である。
【図１１】従来の集塵容器を示した説明図である。
【符号の説明】
【００５１】
１１          掃除機本体
２３          電動送風機
２４          吸込開口
５０          集塵容器
５２          吸込口
５６          仕切部材
５５          集塵室
６０          ネットフィルタ
【図１】
2006101904.tif 000003
【図２】
2006101904.tif 000004
【図３】
2006101904.tif 000005
【図４】
2006101904.tif 000006
【図５】
2006101904.tif 000007
【図６】
2006101904.tif 000008
【図７】
2006101904.tif 000009
【図８】
2006101904.tif 000010
【図９】
2006101904.tif 000011
【図１０】
2006101904.tif 000012
【図１１】
2006101904.tif 000013